(57)【要約】【課題】スロットイン方式の光ディスク装置において、設計時に吸入口や排出口を特定または設定し、光ディスクの回転・非回転に応じて特定の開口部を自動的に開閉するような稼働部を設けずに、簡単な機構構成によって塵埃の侵入を抑止ないしは低減できる光ディスクの塵埃対策構造を得ること。【解決手段】挿入された光ディスクを所定位置に設定して収容する光ディスクの収容筐体を備えるスロットイン方式の光ディスク装置において、前記収容筐体における前記光ディスクの両盤面側に対面する両壁面の前記光ディスクの回転中心部の近傍付近に対向する箇所にそれぞれ存在する通気孔を塞いだことを特徴とする。【選択図】        図１
2008226329.tif 000002
【特許請求の範囲】
【請求項１】
挿入された光ディスクを所定位置に設定して収容する光ディスクの収容筐体を備えるスロットイン方式の光ディスク装置において、
前記収容筐体における前記光ディスクの両盤面側に対面する両壁面の前記光ディスクの回転中心部の近傍付近に対向する箇所にそれぞれ存在する通気孔を塞いだ
ことを特徴とする光ディスクの塵埃対策構造。
【請求項２】
前記収容筐体における前記光ディスクの挿入口に、一端が長手方向両端側にそれぞれ固定され、他端がそれぞれ当該挿入口の一部を閉塞するように延在する遮蔽装置を設けたことを特徴とする請求項１に記載の光ディスクの塵埃対策構造。
【請求項３】
前記遮蔽装置は、前記挿入口の長手方向両端側のそれぞれから可撓性と復元力を有して所定長迫り出した板材で構成されていることを特徴とする請求項２に記載の光ディスクの塵埃対策構造。
【請求項４】
前記遮蔽装置は、前記挿入口の長手方向両端側のそれぞれにおいて復元力を有して観音扉式に開閉する機構で構成されていることを特徴とする請求項２に記載の光ディスクの塵埃対策構造。
【請求項５】
前記収容筐体における前記光ディスクの一方の盤面側に対面する壁面の角部に通気孔が存在しない場合は開口部を設けたことを特徴とする請求項１に記載の光ディスクの塵埃対策構造。
【請求項６】
前記収容筐体における前記光ディスクの盤面と直交する側壁であって前記角部における前記光ディスクの盤面とほぼ同じ高さ位置となる壁面に、前記光ディスクの回転に伴って回転方向に移動付勢される空気流を前記角部に存在する通気孔ないしは設けた前記開口部に誘導するガイドベーンを設けたことを特徴とする請求項５に記載の光ディスクの塵埃対策構造。
【請求項７】
前記収容筐体における前記光ディスクの盤面に直交する３つの側壁のうち前記光ディスクの外周端との距離が最も短い側壁の前記光ディスクの盤面とほぼ同じ位置に矩形状の開口部を設け、かつ、前記開口部の前記光ディスクの回転方向先端側に対応する端部に、前記光ディスクの回転に伴って回転方向に移動付勢される空気流を前記開口部から外部へ導出するガイドベーンを設けたことを特徴とする請求項１に記載の光ディスクの塵埃対策構造。
【請求項８】
挿入された光ディスクを所定位置に設定して収容する光ディスクの収容筐体を備えるスロットイン方式の光ディスク装置において、
前記収容筐体における前記光ディスクの挿入口に、一端が長手方向両端側にそれぞれ固定され、他端がそれぞれ当該挿入口の一部を閉塞するように延在する遮蔽装置を設けたことを特徴とする光ディスクの塵埃対策構造。
【請求項９】
前記遮蔽装置は、前記挿入口の長手方向両端側のそれぞれから可撓性と復元力を有して所定長迫り出した板材で構成されていることを特徴とする請求項８に記載の光ディスクの塵埃対策構造。
【請求項１０】
前記遮蔽装置は、前記挿入口の長手方向両端側のそれぞれにおいて復元力を有して観音扉式に開閉する機構で構成されていることを特徴とする請求項８に記載の光ディスクの塵埃対策構造。
【請求項１１】
挿入された光ディスクを所定位置に設定して収容する光ディスクの収容筐体を備えるスロットイン方式の光ディスク装置において、
前記収容筐体における前記光ディスクの一方の盤面側に対面する壁面の角部に通気孔が存在しない場合は開口部を設けたことを特徴とする光ディスクの塵埃対策構造。
【請求項１２】
前記収容筐体における前記光ディスクの盤面と直交する側壁であって前記角部における前記光ディスクの盤面とほぼ同じ高さ位置となる壁面に、前記光ディスクの回転に伴って回転方向に移動付勢される空気流を前記角部に存在する通気孔ないしは設けた前記開口部に誘導するガイドベーンを設けたことを特徴とする請求項１１に記載の光ディスク装置の塵埃対策構造。
【請求項１３】
挿入された光ディスクを所定位置に設定して収容する光ディスクの収容筐体を備えるスロットイン方式の光ディスク装置において、
前記収容筐体における前記光ディスクの盤面に直交する３つの側壁のうち前記光ディスクの外周端との距離が最も短い側壁の前記光ディスクの盤面とほぼ同じ位置に矩形状の開口部を設け、かつ、前記開口部の前記光ディスクの回転方向先端側に対応する端部に、前記光ディスクの回転に伴って回転方向に移動付勢される空気流を前記開口部から外部へ導出するガイドベーンを設けたことを特徴とする光ディスクの塵埃対策構造。
【発明の詳細な説明】
【技術分野】
【０００１】
この発明は、スロットイン方式の光ディスク装置における光ディスクの塵埃対策構造に関するものである。
【背景技術】
【０００２】
光ディスク装置を含む各種の電子機器では、塵埃が入り込むと、誤動作や故障の原因になるので、従来から、種々の塵埃対策構造が提案されている（例えば、特許文献１〜８等）。
【０００３】
すなわち、特許文献１では、装置内部の発熱源が放散する熱を装置筐体のスリットを介して放熱する電子機器において、装置の所定部位の温度を検出する温度検出手段の出力に応じて前記スリットの開口を調節するようにした塵埃対策構造が開示されている。
【０００４】
また、特許文献２では、装置内部温度安定化機能付き通信端末装置において、装置内部の温度を検出する温度検出手段と自動開閉式の開口部面積可変の冷却用通風開口手段とを設け、温度検出手段で検出された温度変化に応じ、冷却用通風開口手段の開口部面積を可変するようにした塵埃対策構造が開示されている。
【０００５】
また、特許文献３では、冷却ファンを有する光ディスクドライブ装置において、スピンドルモータの回転が停止した場合、冷却ファンの回転を停止させるようにした塵埃対策構造が開示されている。
【０００６】
また、特許文献４では、冷却ファンを備える光磁気ディスク装置において、冷却ファンを光ディスクが装着された場合に作動するようにした塵埃対策構造が開示されている。
【０００７】
また、特許文献５では、光ディスク装置において、機構部、光学系等を収容するカバー部材に開口部を設け、ディスクの回転時は開口部を開放してディスクの回転による空気流を開口部から排出し、非回転時は開口部を閉鎖するようにした塵埃対策構造が開示されている。
【０００８】
また、特許文献６では、光ディスクサブシステム装置の筐体内を密閉構造の第１室と、電源及び該電源を冷却するための通気孔を有する第２室とに区画し、第１室には光ディスクドライブ及び冷却ファンを配置して光ディスクドライブの防塵を図り、さらに第１室内の空間部分に防塵フィルタを設けるようにした塵埃対策構造が開示されている。
【０００９】
また、特許文献７では、ディスクドライブ等の電子機器を空気により冷却する電子機器の空冷装置において、蓋体を閉鎖し、電子機器本体が動作を停止したとき冷却ファンも停止するようにした塵埃対策構造が開示されている。
【００１０】
また、特許文献８では、光記録再生サブシステムにおいて、スリープモード設定の有無によって冷却ファンの駆動を制御することで、冷却ファンの不要な駆動を無くして塵埃の混入を抑制するようにした塵埃対策構造が開示されている。
【００１１】
以上のように、従来の塵埃対策構造は、冷却ファンを使用する光ディスク装置において冷却ファンの駆動による塵埃の吸入を抑止するために、ディスクの非回転時には開口部を自動的に塞ぐ構造、あるいはディスクと冷却ファンを密閉室に閉じ込める構造などを採用している。
【００１２】
【特許文献１】特開平５−１３９７４号公報
【特許文献２】特開平８−２８６７６９号公報
【特許文献３】特開平６−４９８１号公報
【特許文献４】特開平６−３０２０３９号公報
【特許文献５】特開２００３−１５１２５９号公報
【特許文献６】特開平８−１０２１８０号公報
【特許文献７】特開２０００−２１６５７３号公報
【特許文献８】特開平７−２７２４７６号公報
【発明の開示】
【発明が解決しようとする課題】
【００１３】
ところで、スロットイン方式の光ディスク装置では、光ディスクを挿入・配置する光ディスクの収容筐体は、機構上、光ディスクの両盤面側に対面する側壁面に通気孔となる１以上の隙間が任意の場所に存在する場合が多い。
【００１４】
従来では、このような１以上の隙間が任意の場所に存在する収容筐体において塞ぐべき隙間を設計時に明確に特定できなかったので、設計者の勘や経験に頼らざるを得ない場合が多く、不十分な対策になっていた。
【００１５】
また、このような１以上の隙間が任意の場所に存在する収容筐体でも全ての隙間を塞いで密閉構造とすることは可能であるが、十分な放熱が困難になる。
【００１６】
この発明は、上記に鑑みてなされたものであり、スロットイン方式の光ディスク装置において、設計時に吸入口や排出口を特定または設定し、光ディスクの回転・非回転に応じて特定の開口部を自動的に開閉するような稼働部を設けずに、簡単な機構構成によって塵埃の侵入を抑止ないしは低減できる光ディスクの塵埃対策構造を得ることを目的とする。
【課題を解決するための手段】
【００１７】
上述した目的を達成するために、この発明にかかる光ディスクの塵埃対策構造は、挿入された光ディスクを所定位置に設定して収容する光ディスクの収容筐体を備えるスロットイン方式の光ディスク装置において、前記収容筐体における前記光ディスクの両盤面側に対面する両壁面の前記光ディスクの回転中心部の近傍付近に対向する箇所にそれぞれ存在する通気孔を塞いだことを特徴とする。
【００１８】
この発明によれば、収容筐体における前記光ディスクの両盤面側に対面する両壁面の前記光ディスクの回転中心部の近傍付近に対向する箇所に通気孔が存在する場合は、収容筐体に挿入・配置した光ディスクを回転させると、当該通気孔は吸入口となるので、その特定できた通気孔を設計時に予め塞ぐ措置を採る。これによって、光ディスクの回転・非回転に応じて特定の開口部を自動的に開閉するような稼働部を設けずに、簡単な機構構成によって塵埃の侵入を抑止ないしは低減できる措置を前もって採ることができる。
【発明の効果】
【００１９】
この発明によれば、スロットイン方式の光ディスク装置において、工場出荷前に予め所定の塵埃対策を採ることができるので、市場での不具合を改善することができるという効果を奏する。
【発明を実施するための最良の形態】
【００２０】
以下に図面を参照して、この発明にかかる光ディスクの塵埃対策構造の好適な実施の形態を詳細に説明する。
【００２１】
実施の形態１．
図１は、この発明の実施の形態１による光ディスクの塵埃対策構造の構成を示す側面概念図である。図１において、スロットイン方式の光ディスク装置に設けられる光ディスク収容筐体１は、機構上、挿入・配置した光ディスク２の両盤面側に対面する両壁面（図示例では、上下方向両側の壁面）に通気孔となる１以上の隙間が任意の場所に存在する場合が多い。
【００２２】
この実施の形態１による塵埃対策構造は、図１に示すように、光ディスク２の回転中心部の近傍付近に対向する前記の両壁面に通気孔３ａ，３ｂが存在する場合に、その通気孔３ａ，３ｂを遮蔽装置４ａ，４ｂにて塞いだ構造である。ここでは、その他の箇所にも通気孔が存在してもそれらは不問である。なお、遮蔽装置４ａ，４ｂは、例えば通気孔３ａ，３ｂの穴形状に合わせて形成した樹脂製キャップなどを用いることができる。
【００２３】
次に図２は、図１に示す塵埃対策構造を採る理由を説明する図である。図２において、光ディスク収容筐体１に光ディスク２を挿入・配置して図示しないディスク回転機構を起動し、光ディスク２を回転させると、ディスク２の両盤面に近接する空気は、光ディスク２の回転による遠心力とコリオリ力とによって半径方向外端側に向かって押し出されるので、半径方向内端側から半径方向外端側に向かう空気流６ａ，６ｂが発生する。
【００２４】
そして、空気流６ａ，６ｂの発生による静厚差によって光ディスク２の回転中心部の近傍付近に対向する両壁面に存在する通気孔３ａ，３ｂが吸入口となり、塵埃を含む外気７ａ，７ｂが通気孔３ａ，３ｂから光ディスク収容筐体１内に入り込むことが起こる。
【００２５】
そこで、図１に示すように、通気孔３ａ，３ｂを遮蔽装置４ａ，４ｂで塞ぎ、光ディスク２が回転することによる塵埃の吸入を防止するようにした。この措置は、設計者の勘や経験に頼ることなく、予め設計時に吸入口を特定して行えるものである。
【００２６】
以下、実施の形態２〜４として、実施の形態１の措置を講じた光ディスク収容筐体だけでなく、光ディスク２の回転中心部の近傍付近に対向する前記壁面に通気孔３ａ，３ｂが存在せず、実施の形態１の措置を講ずることのできない光ディスク収容筐体にも適用できる塵埃対策構造について説明する。
【００２７】
実施の形態２．
図３は、この発明の実施の形態２による光ディスクの塵埃対策構造の構成を示す上面概念図である。図３に示すように、この実施の形態２による塵埃対策構造は、光ディスク収容筐体１０の挿入口１１に、一端が長手方向両端側にそれぞれ固定され、他端がそれぞれ当該挿入口１１の一部を閉塞するように延在する遮蔽装置１２を設けた構成である。遮蔽装置１２は、具体的には、図４や図５に示すようになっている。
【００２８】
図４は、図３に示す遮蔽装置の具体例（その１）を示す概略斜視図である。図４において、図３に示す遮蔽装置１２である遮蔽装置１３は、挿入口１１の長手方向両端側のそれぞれから可撓性と復元力を有して所定長迫り出した板材で構成されている。
【００２９】
図５は、図３に示す遮蔽装置の具体例（その２）を示す上面概念図である。図５において、図３に示す遮蔽装置１２である遮蔽装置１４は、挿入口１１の長手方向両端側のそれぞれにおいて復元力を有して観音扉式に開閉する機構で構成されている。
【００３０】
次に図６は、図３に示す塵埃対策構造を採る理由を説明する図である。図６において、光ディスク収容筐体１０に光ディスク２を挿入・配置して図示しないディスク回転機構を起動し光ディスク２を回転させると、ディスク２の両盤面に近接する空気は、回転方向に沿って移動付勢されるので、回転する空気流１６が発生する。これによって、挿入口１１から光ディスク収容筐体１０内に吸入される空気流１７ａと、挿入口１１から光ディスク収容筐体１０外に排出される空気流１７ｂとが発生する。
【００３１】
このように、光ディスク収容筐体１０の挿入口１１は、光ディスク２の回転によって空気の吸入口・排出口となる。そこで、この実施の形態２では、空気の吸入口・排出口となる挿入口１１の長手方向両端側のそれぞれに、端部から所定長飛び出した遮蔽装置１２を設け、挿入口１１に空気の吸入口・排出口が形成されないようにした。
【００３２】
実施の形態３．
図７は、この発明の実施の形態３による光ディスクの塵埃対策構造の構成を示す上面概念図である。図８は、図７に示す塵埃対策構造の構成を示す側面概念図である。
【００３３】
この実施の形態３による塵埃対策構造は、図７に示すように、収容筐体２０における光ディスク２の一方の盤面側（図示例では上面側）に対面する壁面の４角部に通気孔が存在しない場合は開口部２１をそれぞれ設けた構成である。
【００３４】
そして、さらに、図８に示すように、収容筐体２０における光ディスク２の盤面と直交する側壁であって前記の４角部のそれぞれにおける光ディスク２の盤面とほぼ同じ高さ位置となる壁面に、光ディスク２の回転に伴って回転方向に移動付勢される空気流６ａを前記の４角部にそれぞれ存在する通気孔ないしは設けた前記の開口部２１に誘導するガイドベーン２２を設けた構成である。
【００３５】
次に図９は、図７に示す塵埃対策構造を採る理由を説明する図である。図９において、光ディスク収容筐体２０に光ディスク２を挿入・配置して図示しないディスク回転機構を起動し、光ディスク２を回転させると、ディスク２の両盤面に近接する空気は、光ディスク２の回転による遠心力とコリオリ力とによって半径方向外端側に向かって押し出されるので、半径方向内端側から半径方向外端側に向かう空気流６ａ，６ｂが発生する。
【００３６】
この空気流６ａ，６ｂは、光ディスク２の外周接線方向に加速され、側壁に沿って一方の角部から他方の角部に向かって流れ、そこの側壁に突き当たり、盤面から対面する壁面に向かう空気流２３ａ，２３ｂとなる。
【００３７】
そこで、図７に示すように、壁面の４角部に開口部２１をそれぞれ設け、上記の上盤面から対面する壁面に向かう空気流２３ａを開口部２１から外部に排出するようにした。そして、実効を図るために、図８に示すように、ガイドベーン２２を設け、上記の上盤面から対面する壁面に向かう空気流２３ａを開口部２１に効果的に誘導できるようにした。
【００３８】
実施の形態４．
図１０は、この発明の実施の形態４による光ディスクの塵埃対策構造の構成を示す上面概念図である。図１０に示すように、この実施の形態４による塵埃対策構造は、収容筐体３０における光ディスク２の盤面に直交する３つの側壁のうち、光ディスク２の外周端との距離が最も短い側壁における光ディスク２の盤面とほぼ同じ位置に矩形状の開口部３１を設け、かつ、開口部３１における光ディスク２の回転方向先端側に対応する端部に、光ディスク２の回転に伴って回転方向に移動付勢される空気流を開口部３１から外部へ導出するガイドベーン３２を設けた構成である。
【００３９】
前記したように、光ディスク収容筐体３０に光ディスク２を挿入・配置して図示しないディスク回転機構を起動し、光ディスク２を回転させると、ディスク２の両盤面に近接する空気は、光ディスク２の回転による遠心力とコリオリ力とによって半径方向外端側に向かって押し出されるので、盤面上を光ディスク２の回転によって移動付勢される気流１６は、外周接線方向に加速される。
【００４０】
そこで、図１０に示すように、光ディスク２の外周端との距離が最も短い側壁に矩形状の開口部３１を設け、さらに、開口部３１における光ディスクの回転方向先端側に対応する端部にガイドベーン３２を設け、光ディスク収容筐体３０外部への流れ３４を誘導するようにした。
【００４１】
以上示した実施の形態２〜４の措置も、実施の形態１と同様に、設計時に光ディスク収容筐体内の空気流の流れを解析し、それに基づき吸入口や排出口を設定して採ることができる措置であり、光ディスクの回転・非回転に応じて特定の開口部を自動的に開閉するような稼働部を設けずに、簡単な機構構成によって光ディスクへの塵埃の付着を抑止、ないしは、低減することができる。つまり、工場出荷前に予め所定の塵埃対策を採ることができるので、市場での不具合を改善することができる。
【産業上の利用可能性】
【００４２】
以上のように、この発明にかかる光ディスクの塵埃対策構造は、スロットイン方式の光ディスク装置の市場での塵埃による不具合を改善するのに有用である。
【図面の簡単な説明】
【００４３】
【図１】この発明の実施の形態１による光ディスクの塵埃対策構造の構成を示す側面概念図である。
【図２】図１に示す塵埃対策構造を採る理由を説明する図である。
【図３】この発明の実施の形態２による光ディスクの塵埃対策構造の構成を示す上面概念図である。
【図４】図３に示す遮蔽装置の具体例（その１）を示す概略斜視図である。
【図５】図３に示す遮蔽装置の具体例（その２）を示す上面概念図である。
【図６】図３に示す塵埃対策構造を採る理由を説明する図である。
【図７】この発明の実施の形態３による光ディスクの塵埃対策構造の構成を示す上面概念図である。
【図８】図７に示す塵埃対策構造の構成を示す側面概念図である。
【図９】図７に示す塵埃対策構造を採る理由を説明する図である。
【図１０】この発明の実施の形態４による光ディスクの塵埃対策構造の構成を示す上面概念図である。
【符号の説明】
【００４４】
１  光ディスク収容筐体
２  光ディスク
３ａ，３ｂ  光ディスクの回転中心部の近傍付近に対向する側壁面に存在する吸入口となる通気孔
４ａ，４ｂ  遮蔽装置
１０  光ディスク収容筐体
１１  挿入口
１２  遮蔽装置
１３  迫り出し式の遮蔽装置
１４  観音扉式の遮蔽装置
２０  光ディスク収容筐体
２１  開口部
２２  ガイドベーン
３０  光ディスク収容筐体
３１  開口部
３２  ガイドベーン
【図１】
2008226329.tif 000003
【図２】
2008226329.tif 000004
【図３】
2008226329.tif 000005
【図４】
2008226329.tif 000006
【図５】
2008226329.tif 000007
【図６】
2008226329.tif 000008
【図７】
2008226329.tif 000009
【図８】
2008226329.tif 000010
【図９】
2008226329.tif 000011
【図１０】
2008226329.tif 000012